(57)【特許請求の範囲】
【請求項１】
回転して筐体の開口部を開閉する開閉部材と、
前記開閉部材の一方側の部分に形成され、前記筐体に対して前記開閉部材を回転させるための軸となる軸部材と、
前記開閉部材の他方側の部分に形成され、ユーザが把持する把持部と、
前記開閉部材の他方側の部分に形成され、前記開閉部材が前記筐体の前記開口部を閉止する閉止位置に配置されている状態で、前記筐体に形成された噛合部と噛合う被噛合部と、
前記開閉部材の一方側の部分に形成され、前記噛合部と前記被噛合部との噛合い解除に伴う前記開閉部材の変形を抑制する抑制手段と、を備え、
前記抑制手段は、前記軸部材の軸方向に延びると共に前記軸方向の端部が支持されている片持ち状態とされて自由端部分が前記軸部材に対して前記軸部材の径方向の外側に張り出し、前記径方向に撓み可能な張出部材と、前記筐体に形成され、前記張出部材と前記径方向の外側から接触し、前記開閉部材が回転する際に前記張出部材との間で摺動抵抗が生じる接触部材とを備える開閉装置。
【請求項２】
前記抑制手段は、
前記軸部材の軸方向において前記開閉部材の中央側の部分に形成され、前記開閉部材から突出する突出部材と、
前記筐体に形成され、前記突出部材を前記軸方向から挟み込み、前記開閉部材が回転するのに伴って前記突出部材との間で摺動抵抗が生じる一対の挟持部材と、
を備える請求項１に記載の開閉装置。
【請求項３】
前記挟持部材は、前記閉止位置に配置されている前記開閉部材を、前記筐体の前記開口部を開放する開放位置に向けて回転させ、少なくとも、前記噛合部と前記被噛合部の噛合いが解除される際に、前記突出部材を挟み込んでいる請求項２に記載の開閉装置。
【請求項４】
前記接触部材は、閉止位置に配置されている前記開閉部材を、前記筐体の前記開口部を開放する開放位置に向けて回転させ、少なくとも、前記噛合部と前記被噛合部の噛合いが解除される際に、前記張出部材と接触している請求項１〜３の何れか１項に記載の開閉装置。
【請求項５】
筐体と、
前記筐体の開口部を開閉する開閉部材を備えた請求項１〜４の何れか１項に記載の開閉装置と、
前記筐体の内部に配置され、画像を形成すると共に、前記開口部が開放されることで前記筐体に対して脱着可能となる画像形成ユニットと、
を備える画像形成装置。
【発明の詳細な説明】
【技術分野】
【０００１】
本発明は、開閉装置、及び画像形成装置に関する。
【背景技術】
【０００２】
特許文献１に記載の開閉装置には、カバー（開閉部材）が自重により回転する際に、緩衝効果を得るためのダンパー部材が設けられている。
【先行技術文献】
【特許文献】
【０００３】
【特許文献１】特開２００４―４５５８５号公報
【発明の概要】
【発明が解決しようとする課題】
【０００４】
ユーザが開閉部材の把持部を把持し、開閉部材と筐体との噛合部を解除させて開閉部材を回転させることで、筐体の開口部が開放される構成がある。
【０００５】
このような構成の場合に、開閉部材の剛性が低いと、開閉部材と筐体との噛合部の噛合いを解除させたときに、開閉部材が変形して撓み、揺れてしまうことがある。
【０００６】
本発明の課題は、開閉部材と筐体との噛合部の噛合い解除に伴う開閉部材の変形を抑制する抑制部材が備えられていない場合と比して、噛合部の噛合い解除に伴う開閉部材の変形を抑制することである。
【課題を解決するための手段】
【０００７】
本発明の第１態様に係る開閉装置は、回転して筐体の開口部を開閉する開閉部材と、前記開閉部材の一方側の部分に形成され、前記筐体に対して前記開閉部材を回転させるための軸となる軸部材と、前記開閉部材の他方側の部分に形成され、ユーザが把持する把持部と、前記開閉部材の他方側の部分に形成され、前記開閉部材が前記筐体の前記開口部を閉止する閉止位置に配置されている状態で、前記筐体に形成された噛合部と噛合う被噛合部と、前記開閉部材の一方側の部分に形成され、前記噛合部と前記被噛合部との噛合い解除に伴う前記開閉部材の変形を抑制する抑制手段と、を備えることを特徴とする。
【０００８】
本発明の第２態様に係る開閉装置は、第１態様に記載の開閉装置において、前記抑制手段は、前記軸部材の軸方向において前記開閉部材の中央側の部分に形成され、前記開閉部材から突出する突出部材と、前記筐体に形成され、前記突出部材を前記軸方向から挟み込み、前記開閉部材が回転するのに伴って前記突出部材との間で摺動抵抗が生じる一対の挟持部材と、を備えることを特徴とする。
【０００９】
本発明の第３態様に係る開閉装置は、第２態様に記載の開閉装置において、前記挟持部材は、前記閉止位置に配置されている前記開閉部材を、前記筐体の前記開口部を開放する開放位置に向けて回転させ、少なくとも、前記噛合部と前記被噛合部の噛合いが解除される際に、前記突出部材を挟み込んでいることを特徴とする。
【００１０】
本発明の第４態様に係る開閉装置は、第１〜３態様の何れか１態様に記載の開閉装置において、前記抑制手段は、前記軸部材から前記軸部材の径方向の外側に張り出し、前記径方向に撓み可能な張出部材と、前記筐体に形成され、前記張出部材と前記径方向の外側から接触し、前記開閉部材が回転する際に前記張出部材との間で摺動抵抗が生じる接触部材と、を備えることを特徴とする。
【００１１】
本発明の第５態様に係る開閉装置は、第４態様に記載の開閉装置において、前記接触部材は、閉止位置に配置されている前記開閉部材を、前記筐体の前記開口部を開放する開放位置に向けて回転させ、少なくとも、前記噛合部と前記被噛合部の噛合いが解除される際に、前記張出部材と接触していることを特徴とする。
【００１２】
本発明の第６態様に係る画像形成装置は、筐体と、前記筐体の開口部を開閉する開閉部材を備えた第１〜５態様の何れか１態様に記載の開閉装置と、前記筐体の内部に配置され、画像を形成すると共に、前記開口部が開放されることで前記筐体に対して脱着可能となる画像形成ユニットと、を備えることを特徴とする。
【発明の効果】
【００１３】
本発明の第１態様の開閉装置によれば、噛合部と被噛合部との噛合い解除に伴う開閉部材の変形を抑制する抑制手段を備えていない場合と比して、噛合部と被噛合部との噛合い解除に伴う開閉部材の変形を抑制することができる。
【００１４】
本発明の第２態様の開閉装置によれば、挟持部材との間で摺動抵抗が生じる突出部材が開閉部材の端部側の部分に形成されている場合と比して、開閉部材の一次モードの変形を抑制することができる。
【００１５】
本発明の第３態様の開閉装置によれば、噛合部と被噛合部の噛合いが解除される際に、挟持部材が突出部材を挟み込んでいない場合と比して、噛合部と被噛合部との噛合い解除に伴う開閉部材の変形を抑制することができる。
【００１６】
本発明の第４態様の開閉装置によれば、接触部材との間で摺動抵抗が生じる張出部材が、軸部材から張り出していない場合と比して、噛合部と被噛合部との噛合い解除に伴う開閉部材の変形を抑制することができる。
【００１７】
本発明の第５態様の開閉装置によれば、噛合部と被噛合部の噛合いが解除される際に、接触部材が張出部材と接触していない場合と比して、噛合部と被噛合部との噛合い解除に伴う開閉部材の変形を抑制することができる。
【００１８】
本発明の第６態様の画像形成装置によれば、第１〜５態様の何れか１態様に記載の開閉装置を備えていない場合と比して、画像形成ユニットを筐体から脱着するために筐体の開口部を開放させる際に、品質感が損なわれるのを抑制することができる。
【図面の簡単な説明】
【００１９】
【図１】本発明の実施形態に係る開閉装置を示した斜視図である。
【図２】本発明の実施形態に係る開閉装置に備えられた開閉部材を示した斜視図である。
【図３】本発明の実施形態に係る開閉装置に備えられた第一抑制部を示した斜視図である。
【図４】本発明の実施形態に係る開閉装置に備えられた第一抑制部を示した斜視図である。
【図５】本発明の実施形態に係る開閉装置に備えられた第一抑制部を示した斜視図である。
【図６】本発明の実施形態に係る開閉装置に備えられた第二抑制部を示した斜視図である。
【図７】本発明の実施形態に係る開閉装置に備えられた第二抑制部を示した斜視図である。
【図８】本発明の実施形態に係る開閉装置に備えられた第二抑制部を示した斜視図である。
【図９】本発明の実施形態に係る開閉装置に備えられた噛合部を示した斜視図である。
【図１０】（Ａ）（Ｂ）（Ｃ）本発明の実施形態に係る開閉装置に備えられた噛合部を示した断面図である。
【図１１】（Ａ）（Ｂ）本発明の実施形態に係る開閉装置に備えられた開閉部材の開閉動作を示した斜視図である。
【図１２】本発明の実施形態に係る画像形成装置を示した斜視図である。
【図１３】本発明の実施形態に係る画像形成装置を示した斜視図である。
【図１４】本発明の実施形態に係る画像形成装置を示した概略構成図である。
【発明を実施するための形態】
【００２０】
本発明の実施形態に係る開閉装置、画像形成装置の一例を図１〜図１４に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２１】
（全体構成）
図１４に示されるように、本実施形態に係る画像形成装置１０には、上下方向（矢印Ｈ方向）の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０とが、この順で備えられている。
【００２２】
〔収容部〕
収容部１４には、画像形成装置１０の筐体１０Ａから装置奥行方向の手前側に引き出し可能な収容部材２６が備えられており、この収容部材２６にシート部材Ｐが積載されている。さらに、収容部１４には、収容部材２６に積載されたシート部材Ｐを、搬送部１６を構成する搬送経路２８に送り出す送出ロール３０が備えられている。
【００２３】
〔搬送部〕
搬送部１６には、搬送経路２８に沿ってシート部材Ｐを搬送する複数の搬送ロール３２が備えられている。
【００２４】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ、Ｍ、Ｃ、Ｋを区別して説明する必要が無い場合は、Ｙ、Ｍ、Ｃ、Ｋを省略して記載することがある。また、画像形成部２０には、各色の画像形成ユニット１８に備えられ、帯電した像保持体３６に露光光を照射して静電潜像を形成する露光装置４２が備えられている。
【００２５】
各色の画像形成ユニット１８は、筐体１０Ａに対して夫々着脱可能とされている。そして、各色の画像形成ユニット１８には、像保持体３６と、像保持体３６の表面を帯電させる帯電ロール３８と、前述した露光装置４２が帯電した像保持体３６を露光して形成された静電潜像を現像してトナー画像として可視化する現像装置４０とが備えられている。
【００２６】
また、画像形成部２０には、図中矢印Ａ方向に周回する無端状の転写ベルト２２と、各色の画像形成ユニット１８によって形成されたトナー画像を転写ベルト２２に転写する一次転写ロール４４とが備えられている。さらに、画像形成部２０には、転写ベルト２２に転写されたトナー画像をシート部材Ｐに転写する二次転写ロール４６と、トナー画像が転写されたシート部材Ｐを加熱・加圧してトナー画像をシート部材Ｐに定着する定着装置５０とが備えられている。
【００２７】
〔その他〕
また、画像形成装置１０には、各色の画像形成ユニット１８を装置奥行方向の手前側から筐体１０Ａに対して脱着させるために、筐体１０Ａに形成された開口部５２（図１２参照）を開閉する開閉部材の一例としての開閉カバー６２が備えられている。なお、この開閉カバー６２を備えた開閉装置６０については、詳細を後述する。
【００２８】
（画像形成装置の作用）
画像形成装置１０では、次のようにして画像が形成される。
【００２９】
先ず、電圧が印加された各色の帯電ロール３８は、各色の像保持体３６の表面を予定の電位で一様にマイナス帯電する。続いて、外部から入力されたデータに基づいて露光装置４２は、帯電した各色の像保持体３６の表面に露光光を照射して静電潜像を形成する。
【００３０】
これにより、データに対応した静電潜像が各色の像保持体３６の表面に形成される。さらに、各色の現像装置４０は、この静電潜像を現像し、トナー画像として可視化する。また、各色の像保持体３６の表面に形成されたトナー画像は、一次転写ロール４４によって転写ベルト２２に夫々転写される。
【００３１】
そこで、収容部材２６から送出ロール３０によって搬送経路２８へ送り出されたシート部材Ｐは、転写ベルト２２と二次転写ロール４６とが接触する転写位置Ｔへ送り出される。転写位置Ｔでは、シート部材Ｐが転写ベルト２２と二次転写ロール４６との間で搬送されることで、転写ベルト２２の表面のトナー画像は、シート部材Ｐに転写される。
【００３２】
シート部材Ｐに転写されたトナー画像は、定着装置５０によってシート部材Ｐに定着する。そして、トナー画像が定着したシート部材Ｐは、搬送ロール３２によって筐体１０Ａの外部へ排出される。
【００３３】
（要部構成）
次に、開閉装置６０の構成について説明する。
【００３４】
図１２、図１３に示されるように、開閉装置６０は、筐体１０Ａの開口部５２を開閉する開閉カバー６２を備えている。
【００３５】
筐体１０Ａの開口部５２は、図１２に示されるように、筐体１０Ａの装置奥行方向の手前側の部分に形成され、装置幅方向に延びる矩形状とされている。そして、開口部５２の上方側の部分には、装置内部側に突出し、板厚方向が装置上下方向とされたフランジ板５４（図１、図９参照）が形成され、開口部５２の幅方向の両側の部分には、板厚方向が装置幅方向とされた一対のフランジ板７６（図１、図６参照）が形成されている。さらに、開口部５２の下方側の部分には、装置内部側に突出し、装置奥行方向の手前側（図３の右側）が開放されたＵ字状で、開口部５５の下方側の部分を補強する補強部８８が装置幅方向に延びるように形成されている。
【００３６】
さらに、開閉カバー６２の上方側の部分には、装置内部側に突出し、板厚方向が装置上下方向とされたフランジ板６８（図２、図９参照）が形成され、開閉カバー６２の幅方向の両側の部分には、板厚方向が装置幅方向とされた一対のフランジ板７４（図２、図６参照）が形成されている。
【００３７】
図１３に示されるように、開口部５２を閉止する閉止位置に配置されている開閉カバー６２の下方側（一方側の一例）の部分には、筐体１０Ａに対して開閉カバー６２を回転させるための軸となる一対の軸部材６４が形成されている。一対の軸部材６４は、開閉カバー６２の外周縁６２Ａ側の部分から装置内部側に突出した一対のフランジ板７４に夫々形成され、装置幅方向の一方側又は他方側に夫々突出している。そして、軸部材６４は、図６に示されるように、筐体１０Ａの開口部５２の開口縁５２Ａから装置内部側に突出した一対のフランジ板７６に形成された貫通孔７６Ａを貫通している。
【００３８】
さらに、図１３に示されるように、閉止位置に配置されている開閉カバー６２の上方側（他方側の一例）の部分には、ユーザが把持する把持部６６が形成されている。
【００３９】
この構成において、ユーザがこの把持部６６を把持して開閉カバー６２を操作することで、開閉カバー６２は、軸部材６４を中心に回転するようになっている。そして、開閉カバー６２は、筐体１０Ａの開口部５２を閉止する閉止位置（図１３参照）と、筐体１０Ａの開口部５２を開放する開放位置（図１２参照）とに配置されるようになっている。なお、閉止位置から回転した開閉カバー６２は、図示せぬストッパーによって開放位置で停止するようになっている。
【００４０】
そして、図１２に示されるように、開閉カバー６２が開放位置に配置されて開口部５２が開放された状態で、筐体１０Ａの内部に配置された各色の画像形成ユニット１８が筐体１０Ａから夫々脱着可能とされるようになっている。
【００４１】
また、図１に示されるように、閉止位置に配置されている開閉カバー６２の上方側（他方側の一例）の部分には、筐体１０Ａに形成された噛合部７０（図９参照）と噛合う被噛合部７２が形成されている。
【００４２】
さらに、開閉カバー６２の下方側（一方側の一例）の部分には、噛合部７０と被噛合部７２との噛合い解除に伴う開閉カバー６２の変形を抑制する抑制手段の一例としての第一抑制部８０と、抑制手段の一例としての第二抑制部１００とを備えている。
【００４３】
〔噛合部・被噛合部〕
図１、図９に示されるように、噛合部７０は、装置幅方向において把持部６６を挟むように配置され、筐体１０Ａの開口部５２の開口縁側から突出したフランジ板５４に２個形成されている。具体的には、噛合部７０は、フランジ板５４に形成された矩形状の開口部５４Ａに形成され、装置奥行方向の手前側の部分が自由端となる片持ち部７０Ａと、片持ち部７０Ａの先端部から下方側に突出する突出部７０Ｂとを備えている（図１０（Ａ）参照）。
【００４４】
これに対して、被噛合部７２は、夫々の噛合部７０に対応するように、開閉カバー６２の外周縁６２Ａ側の部分から装置内部側に突出したフランジ板６８に２個形成されている。具体的には、被噛合部７２は、フランジ板６８に形成され、開閉カバー６２が閉止位置に配置された状態で、突出部７０Ｂの下端側の部分が入り込む矩形状の開口部７２Ａを備えている（図１０（Ａ）参照）。さらに、被噛合部７２は、図１０（Ａ）に示されるように、突出部７０Ｂに対して装置奥行方向の奥側で、フランジ板６８から上方に突出し、開閉カバー６２が閉止位置に配置された状態で、突出部７０Ｂと装置奥行方向で接触する突出部７２Ｂを備えている。
【００４５】
この構成において、開閉カバー６２が閉止位置に配置された状態では、装置奥行方向において突出部７０Ｂと突出部７２Ｂとが接触することで、噛合部７０と被噛合部７２とが噛合い、開閉カバー６２が閉止位置に保持されるようになっている。また、ユーザが閉止位置に配置された開閉カバー６２の把持部６６（図１３参照）を把持して開閉カバー６２を回転させると、図１０（Ａ）（Ｂ）（Ｃ）に示されるように、突出部７２Ｂが突出部７０Ｂを押圧して片持ち部７０Ａが撓むようになっている。そして、突出部７０Ｂが突出部７２Ｂを乗り越えることで、噛合部７０と被噛合部７２との噛合いが解除されるようになっている。
【００４６】
なお、噛合部７０、及び被噛合部７２とは、閉止位置に配置されている開閉カバー６２を開放位置に向けて移動させる力によって解除される部材である。
【００４７】
〔第一抑制部〕
図１に示されるように、第一抑制部８０は、開閉カバー６２が閉止位置に配置された状態で、開閉カバー６２の下方側で、かつ、軸部材６４の軸方向（本実施形態では装置幅方向）において中央側の部分に配置されている。そして、図２に示されるように、第一抑制部８０は、装置幅方向において開閉カバー６２の中央側の部分に形成され、開閉カバー６２が閉止位置に配置された状態で、下方へ突出する板状の突出部材８２を備えている。さらに、第一抑制部８０は、図３に示されるように、開閉カバー６２が回転するのに伴って突出部材８２との間で摺動抵抗が生じる一対の挟持部材８４を備えている。
【００４８】
この突出部材８２は、突出部材８２の板厚方向から見て、装置幅方向に延びる矩形状とされている。
【００４９】
また、挟持部材８４は、図３に示されるように、筐体１０Ａにおいて、開口部５２の下端側の部分に形成されている。具体的には、筐体１０Ａにおいて、開口部５２の下端側の部分に形成された断面Ｕ字状の補強部８８の装置幅方向の中央側の部分には、装置奥行方向から見て矩形状となる開口部９０が形成されている。閉止位置に配置されている開閉カバー６２の突出部材８２は、開口部９０を構成すると共に互いに対向した一対の開口縁９０Ａに挟まれるようにこの開口部９０内に配置されている。
【００５０】
そして、一対の挟持部材８４は、一方の開口縁９０Ａと他方の開口縁９０Ａに基端部が夫々固定され、先端部が装置奥行方向の手前側に延びる片持ち状態とされている。この一対の挟持部材８４の先端側の部分には、突出部材８２側に張り出して突出部材８２の端面と接触する張出部８４Ａが夫々形成されている。そして、一対の挟持部材８４は、装置幅方向で突出部材８２を挟み込み、撓んでいる。そして、一対の挟持部材８４は、閉止位置の開閉カバー６２が回転して噛合部７０と被噛合部７２との噛合いが解除される際に、突出部材８２との間で摺動抵抗が生じるようになっている（図３、図４参照）。
【００５１】
〔第二抑制部〕
図１、図６に示されるように、第二抑制部１００は、夫々の軸部材６４から軸部材６４の径方向の外側に張り出す張出部材１１２と、開閉カバー６２が回転するのに伴って張出部材１１２との間で摺動抵抗が生じる接触部材１１４とを備えている。
【００５２】
具体的には、軸部材６４は、一部が切り欠かれた円筒状とされ、軸部材６４の周壁６４Ａは、軸部材６４の周方向において一部が離間している。この周壁６４Ａが離間した部分に、張出部材１１２が配置されている。張出部材１１２は、フランジ板７４から装置幅方向に延びるように形成され、片持ち状態の片持ち部１１２Ａと、片持ち部１１２Ａの先端部分に形成され、軸部材６４の径方向外側に張り出す張出部１１２Ｂとを備えている。そして、張出部材１１２は、軸部材６４と同様に、フランジ板７６に形成された貫通孔７６Ａを貫通している。
【００５３】
また、接触部材１１４は、フランジ板７６の貫通孔７６Ａの周囲に形成されている。具体的には、接触部材１１４は、装置幅方向から見て円弧状とされ、フランジ板７６から開閉カバー６２とは反対側に突出している。そして、接触部材１１４は、軸部材６４の径方向外側から張出部材１１２の張出部１１２Ｂと接触し、張出部材１１２の片持ち部１１２Ａは、径方向の内側に撓むようになっている。そして、接触部材１１４は、張出部材１１２と接触し、閉止位置の開閉カバー６２が回転して噛合部７０と被噛合部７２との噛合いが解除される際に、張出部材１１２との間で摺動抵抗が生じるようになっている（図６、図７参照）。
【００５４】
（要部構成の作用）
次に、開閉装置６０の作用について説明する。
【００５５】
開閉カバー６２が閉止位置に配置されている状態では、図１０（Ａ）に示されるように、噛合部７０と被噛合部７２とが噛合っている。また、図３に示されるように、一対の挟持部材８４は、装置幅方向で突出部材８２を挟み込んでいる。さらに、図６に示されるように、張出部材１１２と接触部材１１４とは接触し、張出部材１１２が撓んでいる。
【００５６】
そして、閉止位置に配置されている開閉カバー６２を開放する場合には、ユーザが把持部６６（図１３参照）を把持して、把持部６６を装置奥行方向の手前側（図１３の右側）に引っ張る。
【００５７】
噛合部７０と被噛合部７２との噛合い状態が保持されている状態で、把持部６６を引っ張ると、図１１（Ａ）に示されるように、開閉カバー６２の上方側が湾曲状に変形する。
【００５８】
さらに、把持部６６を装置奥行方向の手前側に引っ張ると、図１０（Ａ）（Ｂ）（Ｃ）に示されるように、噛合部７０と被噛合部７２との噛合い状態が解除される。噛合部７０と被噛合部７２との噛合い状態が解除されると、図１１（Ｂ）に示されるように、開閉カバー６２の上方側の部分が、筐体１０Ａと離間し、開閉カバー６２の装置幅方向の両端側の部分が、開閉カバー６２の板厚方向に変形して揺れ、開閉カバー６２は、一次モードで振動する（図１１（Ｂ）の二点鎖線参照）。
【００５９】
ここで、噛合部７０と被噛合部７２との噛合い状態が解除される際には、図４に示されるように、一対の挟持部材８４は、装置幅方向で突出部材８２を挟み込んでいる。また、図７に示されるように、張出部材１１２と接触部材１１４とは接触し、張出部材１１２が撓んでいる。
【００６０】
つまり、開閉カバー６２が開口部５２を開閉する開閉動作において、少なくとも、噛合部７０と被噛合部７２の噛合いが解除される際に、一対の挟持部材８４は、突出部材８２を挟み込んでいる。そして、一対の挟持部材８４と突出部材８２との間で摺動抵抗が生じている。
【００６１】
また、開閉カバー６２が開口部５２を開閉する開閉動作において、少なくとも、噛合部７０と被噛合部７２の噛合いが解除される際に、張出部材１１２と接触部材１１４とが接触している。そして、張出部材１１２との間で摺動抵抗が生じている。
【００６２】
さらに、把持部６６を装置奥行方向の手前側に引っ張ると、図１２に示されるように、開閉カバー６２は、図示せぬストッパーによって開放位置で停止する。開閉カバー６２が開放位置に配置されている状態では、図５に示されるように、一対の挟持部材８４は、突出部材８２と離間している。さらに、図８に示されるように、張出部材１１２と接触部材１１４とは離間し、張出部材１１２は自由状態（撓んでいない状態）となっている。
【００６３】
この状態で、ユーザは、各色の画像形成ユニット１８を個別に筐体１０Ａから脱着することができる。
【００６４】
なお、開放位置に配置されている開閉カバー６２を閉止位置に配置する場合には、ユーザが、開放位置に配置されている開閉カバー６２を閉止位置に向けて回転させ、噛合い状態が解除される噛合部７０と被噛合部７２とを噛み合わせる。これにより、開閉カバー６２が閉止位置に配置される。
【００６５】
（まとめ）
以上説明したように、噛合部７０と被噛合部７２との噛合い状態が解除される際に、図４に示されるように、一対の挟持部材８４は、装置幅方向で突出部材８２を挟み込んでいる。つまり、一対の挟持部材８４と突出部材８２との間で摺動抵抗が生じている。このため、一対の挟持部材８４と突出部材８２との間で摺動抵抗が生じていない場合と比して、噛合部７０と被噛合部７２の噛合い解除に伴う開閉カバー６２の変形が抑制される。
【００６６】
また、挟持部材８４との間で摺動抵抗が生じる突出部材８２が  開閉カバー６２の軸方向（本実施形態では装置幅方向）の中央側の部分に形成されている。このため、突出部材８２が、開閉カバー６２の端部側の部分に形成されている場合と比して、開閉カバー６２の一次モードの変形が抑制される。
【００６７】
また、噛合部７０と被噛合部７２との噛合い状態が解除される際に、図７に示されるように、張出部材１１２と接触部材１１４とは接触し、張出部材１１２が撓んでいる。つまり、張出部材１１２と接触部材１１４との間で摺動抵抗が生じている。このため、張出部材１１２と接触部材１１４との間で摺動抵抗が生じていない場合と比して、噛合部７０と被噛合部７２の噛合い解除に伴う開閉カバー６２の変形が抑制される。そして、噛合部７０と被噛合部７２の噛合い解除に伴う開閉カバー６２の振動が抑制される。
【００６８】
また、接触部材１１４との間で摺動抵抗が生じる張出部材１１２が、軸部材６４から張り出している。このため、接触部材１１４との間で摺動抵抗が生じる張出部材１１２が、軸部材６４から張り出していない場合と比して、軸部材６４の揺れに起因する開閉カバー６２の変形が抑制される。そして、噛合部７０と被噛合部７２の噛合い解除に伴う開閉カバー６２の振動が抑制される。
【００６９】
画像形成装置１０においては、噛合部７０と被噛合部７２の噛合い解除に伴う開閉カバー６２の変形が抑制されない場合と比して、画像形成ユニット１８を筐体１０Ａから脱着するために開閉カバー６２を開放させる際に、品質感が損なわれるのが抑制される。
【００７０】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、第一抑制部材８０と第二抑制部材１００とが設けられたが、どちらか一方であってもよい。
【符号の説明】
【００７１】
１０          画像形成装置
１０Ａ        筐体
１８          画像形成ユニット
５２          開口部
６０          開閉装置
６２          開閉カバー（開閉部材の一例）
６４          軸部材
６６          把持部
７０          噛合部
７２          被噛合部
８０          第一抑制部（抑制手段の一例）
８２          突出部材
８４          挟持部材
１００        第二抑制部（抑制手段の一例）
１１２        張出部材
１１４        接触部材
【図１】
0006701856.tif 000002
【図２】
0006701856.tif 000003
【図３】
0006701856.tif 000004
【図４】
0006701856.tif 000005
【図５】
0006701856.tif 000006
【図６】
0006701856.tif 000007
【図７】
0006701856.tif 000008
【図８】
0006701856.tif 000009
【図９】
0006701856.tif 000010
【図１０】
0006701856.tif 000011
【図１１】
0006701856.tif 000012
【図１２】
0006701856.tif 000013
【図１３】
0006701856.tif 000014
【図１４】
0006701856.tif 000015